(57)【要約】【課題】  洗濯機や乾燥機の回転力を受けても、洗濯・乾燥ネット内に収容された洗濯物の偏りを防ぐことができ、洗濯物全体の確実な洗濯・乾燥を実現する業務用洗濯・乾燥ネットの提供を図る。【解決手段】  全体がネット素材により成形され、多量の洗濯物を収容して洗濯から乾燥までを行う業務用洗濯・乾燥ネット１であって、左右両端面１２が略円形状を為すと共に該両端面１２の中間に胴体部１４を有して全体が略円筒形状に成形されたネット本体１における胴体部１４の所定箇所に、洗濯物投入用の開口部２０が開閉機構３０を介して略直線状に形成されていると共に、所要長さ・幅を有する記名欄４０が備えられている。【選択図】図1
0003185745.tif 000002
【実用新案登録請求の範囲】
【請求項１】
全体がネット素材により成形され、業務用として多量の洗濯物を収容して洗濯から乾燥までを行う洗濯・乾燥ネットであって、
左右両端面が略円形状を為すと共に該両端面の中間に胴体部を有して全体が略円筒形状に成形されたネット本体における胴体部の所定箇所に、洗濯物投入用の開口部が開閉機構を介して略直線状に形成されていると共に、所要長さ・幅を有する記名欄が備えられていることを特徴とする業務用洗濯・乾燥ネット。
【請求項２】
前記業務用洗濯・乾燥ネットにおいて、
前記両端面の直径が、夫々少なくとも２０ｃｍ以上であることを特徴とする請求項１に記載の業務用洗濯・乾燥ネット。
【請求項３】
前記業務用洗濯・乾燥ネットにおいて、
前記胴体部における両端面間の長さが、少なくとも２０ｃｍ以上であることを特徴とする請求項１または請求項２に記載の業務用洗濯・乾燥ネット。
【請求項４】
前記業務用洗濯・乾燥ネットにおいて、
前記開口部が、前記胴体部の長さ方向に幅広に形成されていることを特徴とする請求項１から請求項３のいずれかに記載の業務用洗濯・乾燥ネット。
【請求項５】
前記業務用洗濯・乾燥ネットにおいて、
前記開閉機構が、スライドファスナーから成ることを特徴とする請求項１から請求項４のいずれかに記載の業務用洗濯・乾燥ネット。
【請求項６】
前記業務用洗濯・乾燥ネットにおいて、
前記スライドファスナーにより開口部を閉口した際に、該スライドファスナーのスライダーを被覆する帯体が備えられていることを特徴とする請求項５に記載の業務用洗濯・乾燥ネット。
【考案の詳細な説明】
【技術分野】
【０００１】
本考案は、業務用洗濯・乾燥ネットに関し、詳しくは、業務用として使用され、多量の衣類を収容して洗濯から乾燥までを行う洗濯・乾燥ネットに関するものである。
【背景技術】
【０００２】
全自動洗濯機に代表される機械式の洗濯機を使用して衣類等を洗濯したり、あるいは、乾燥機により洗濯後の衣類等を乾燥する場合に、洗濯機や乾燥機の回転翼に衣類が触れることで、その衣類等が傷んでしまうことがある。そこで、洗濯・乾燥による衣類等の傷みを回避しあるいは和らげるべく、洗濯・乾燥すべき衣類等に応じて、ネット素材により袋状に成形されたいわゆる洗濯・乾燥ネットが従来より用いられている。
【０００３】
従来から家庭用として一般的に用いられている洗濯・乾燥ネットは、傷みやすい衣類等がストッキングや下着類など比較的小型のものが多いため、各辺が約１５ｃｍ以内の方形状に成形されたものが用いられており、場合によって毛布など特定の洗濯物に特化した大きさ・形状の洗濯・乾燥ネットが使用されている。
【０００４】
ところで、業務用として使用される洗濯・乾燥ネットは、上記した家庭用の洗濯・乾燥ネットの使用目的とは異なり、洗濯・乾燥の際に他人の洗濯物と混合されることで洗濯物の持主が不明となることを避けることに主な目的がある。すなわち、病院や介護施設などにおける特定の人から出た洗濯物について、その人ごとに一の洗濯・乾燥ネットに収容してもらい、収容された状態で一定期間ごとに業者が回収し、洗濯・乾燥ネットごと機械的に洗濯および乾燥を行い、洗濯・乾燥ネットに収容された状態のまま返却することで、洗濯物を確実に持主の元へ届けることが可能となる。
【０００５】
かかる業務用の洗濯・乾燥ネットによる問題点として、一定期間内に一人から出た多量の洗濯物によって、該洗濯物が洗濯・乾燥ネット内で動きを封じられてしまうことで、洗濯物のネットに接した部分近傍のみ洗濯・乾燥の効果があらわれ、洗濯物全体がきちんと洗濯されていないあるいは乾燥されていない、という問題が指摘されるところであった。そこで、洗濯物がネット内を自由に移動できるよう、洗濯物が収容された状態でネット内に余裕スペースを設けるべく、洗濯・乾燥ネットを大型に成形することは考え得るところである。
【０００６】
しかしながら、単に洗濯・乾燥ネットを大型に成形したとしても、洗濯機や乾燥機の回転力でネット内の洗濯物は一方へ偏った状態となってしまい、上記問題点を何ら解決することにはならない。
【０００７】
本願考案者は、以上のような従来における業務用の洗濯・乾燥ネットの問題点を解決するために、当該洗濯・乾燥ネットの大きさだけでなく形状にも着目し、ネット内に収容された洗濯物全体が確実に洗濯・乾燥される構造の洗濯・乾燥ネットを実現できないものかという着想の下、洗濯機や乾燥機の回転力を利用して洗濯・乾燥ネットが自在に変形・回転することで、収容された洗濯物の偏りを防ぐことを可能ならしめた業務用洗濯・乾燥ネットを開発し、本考案を提案するに至ったものである。
【先行技術文献】
【特許文献】
【０００８】
【特許文献１】特開２０１２−８１２２４号公報
【特許文献２】特開２０１１−１９４１８０号公報
【特許文献３】特開２００９−２６８８６５号公報
【特許文献４】特開２００８−２６４３０４号公報
【特許文献５】特開２００７−２４４７９３号公報
【特許文献６】実開平６−２４７００号公報
【特許文献７】実開平５−８０４８７号公報
【考案の概要】
【考案が解決しようとする課題】
【０００９】
本考案は上記問題点に鑑み、洗濯機や乾燥機の回転力を受けても、洗濯・乾燥ネット内に収容された洗濯物の偏りを防ぐことができ、洗濯物全体の確実な洗濯・乾燥を実現する業務用洗濯・乾燥ネットを提供することを課題とする。
【課題を解決するための手段】
【００１０】
上記課題を解決すべく、本考案は、全体がネット素材により成形され、業務用として多量の洗濯物を収容して洗濯から乾燥までを行う洗濯・乾燥ネットであって、左右両端面が略円形状を為すと共に該両端面の中間に胴体部を有して全体が略円筒形状に成形されたネット本体における胴体部の所定箇所に、洗濯物投入用の開口部が開閉機構を介して略直線状に形成されていると共に、所要長さ・幅を有する記名欄が備えられている構成となっている。
【００１１】
また、本考案は、前記構成において、両端面の直径が夫々少なくとも２０ｃｍ以上である構成を採用することができる。
【００１２】
さらに、本考案は、前記構成において、胴体部における両端面間の長さが少なくとも２０ｃｍ以上である構成を採用し得る。
【００１３】
またさらに、本考案は、前記構成において、開口部が胴体部の長さ方向に幅広に形成されている構成を採用することも可能である。
【００１４】
さらにまた、本考案は、前記構成において、開閉機構がスライドファスナーである構成を採用することも考え得る。
【００１５】
そしてまた、本考案は、前記構成において、スライドファスナーにより開口部を閉口した際に、該スライドファスナーのスライダーを被覆する帯体が備えられている構成とすることも可能である。
【考案の効果】
【００１６】
本考案にかかる業務用洗濯・乾燥ネットによれば、ネット本体が大型に成形されることで、洗濯および乾燥に際し収容された洗濯物がネット内を自由に移動することができるとともに、ネット本体全体が略円筒形状に成形されることで、洗濯機や乾燥機の回転力を受けても、ネット本体も自由に変形・回転して収容された洗濯物の偏りを防ぐことができ、結果として洗濯物全体の確実な洗濯・乾燥を実現することが可能になる、といった優れた効果を奏する。
【図面の簡単な説明】
【００１７】
【図１】本考案にかかる業務用洗濯・乾燥ネットの実施形態を示す斜視図である。
【図２】本考案にかかる業務用洗濯・乾燥ネットの実施形態を示す説明図である。
【図３】本考案にかかる業務用洗濯・乾燥ネットの実施形態を示す説明図である。
【図４】本考案にかかる業務用洗濯・乾燥ネットの実施形態を示す説明図である。
【考案を実施するための形態】
【００１８】
本考案にかかる業務用洗濯・乾燥ネット１は、全体がネット素材により成形され、かつ、左右両端面１２が略円形状を為すと共に該両端面１２の中間に胴体部１４を有して全体が略円筒形状に成形したことを最大の特徴とするものである。
以下、本考案にかかる業務用洗濯・乾燥ネット１の実施形態を、図面に基づいて詳細に説明する。
【００１９】
なお、本考案にかかる業務用洗濯・乾燥ネット１は、下記に述べる実施形態に特に限定されるものではなく、本考案の技術的思想を逸脱しない範囲内において、適宜変更することができるものである。
【００２０】
図１は、本考案にかかる業務用洗濯・乾燥ネット１の実施形態を示す斜視図である。
該業務用洗濯・乾燥ネット１は、図面に示すように、全体がネット素材により成形されたネット本体１０から成る。該ネット本体１０の左右両端面１２は、所定直径ｈを有する略円形状に成形されている。そして、該両端面１２の中間には所定長さｗを有する胴体部１４が備えられ、ネット本体１０全体として略円筒形状に成形されている。
【００２１】
ネット本体１０を構成するネット素材の材質については、ネット状を成形可能であれば特に限定は無いが、例えばポリエステル繊維等の合成樹脂繊維から成り、該繊維素材をネット状に編み込むなどして、ネット本体１０が成形される。
【００２２】
ネット本体１０における両端面１２の直径ｈについては、特に限定は無いが、
ネット本体１０全体の大きさを大型とすることで業務用として多量の洗濯物を収容可能にすべく、左右夫々が少なくとも２０ｃｍ以上であることが望ましい。
また、ネット本体１０における胴体部１４の長さｗ（両端面１２間の長さ）についても、特に限定は無いが、上記同様の理由により、少なくとも２０ｃｍ以上を有することが望ましい。
【００２３】
ネット本体１０における胴体部１４の所定箇所には、洗濯物投入用の開口部２０が備えられている。すなわち、ネット本体１０内への洗濯物の出し入れは、該開口部２０を介して行われる。該開口部２０は、ネット本体１０における長さ方向ｗに略直線状に形成されている。また、該開口部２０には開閉機構３０が備えられており、該開閉機構３０を介して開口部２０の開放・閉塞が可能となっている。
【００２４】
前記開口部２０の長さについては、洗濯物の出し入れを容易にすべく、胴体部１４の長さ方向ｗに幅広に形成されることが望ましい。具体的には、開口部２０の両端部が、夫々ネット本体１０の左右両端面１２に接するか、あるいは、それに近い箇所に位置するくらいにまで、開口部２０の長さを幅広とすることが望ましい。
【００２５】
開口部２０に備えられる開閉機構３０の具体的構造については、特に限定するものではなく、例えばベルクロファスナーやボタン式、ホック式などの構造が考え得るが、ベルクロファスナーの場合は洗濯物が貼着してしまう恐れがあり、またボタン式やホック式の場合は雄雌係合に手間が掛かってしまう。そこで、該開閉機構３０の構造について、スライドファスナー３０を採用することが考え得る。かかるスライドファスナー３０を採用することで、スライダー３１のスライド操作により、容易かつ安全に開口部２０の開閉作業を行うことが可能となる。
【００２６】
開閉機構３０の構造としてスライドファスナー３０を採用した場合に、スライダー３１の取手部分が遊動自在となっているため、洗濯および乾燥の際に、該取手部分が洗濯槽や乾燥機内を損傷させることが考え得る。そこで、図２に示すように、スライドファスナー３０により開口部２０を閉口した際にスライダー３１が位置する箇所に、スライダー３１を被覆して覆い隠すための帯体３３が備えられている態様が考え得る。これにより、洗濯・乾燥の際のスライダー３１の露出を抑えることができ、洗濯槽や乾燥機内の損傷を防ぐことが可能となる。
【００２７】
ネット本体１０における胴体部１４の所定箇所には、図３及び図４に示すように、洗濯物の持ち主を識別すべく、所要長さ・幅を有する記名欄４０が備えられている。該記名欄４０の具体的構造については、特に限定は無いが、例えば図３に示すような布体を胴体部１４に縫合して該布体に直接識別表示を記載する態様や、あるいは、図４に示すようなポケット構造を為して該ポケット内に識別表示を記載した紙片等４２を挿入する態様などが考え得る。
【００２８】
本考案にかかる業務用洗濯・乾燥ネット１は、以上の構成からなり、ネット本体１０内に収容された洗濯物は、その状態のまま機械的に洗濯および乾燥がおこなわれ、最終的にネット本体１０内に収容されたまま洗濯物が持ち主の元へ返却されることとなる。
【産業上の利用可能性】
【００２９】
本考案は、多量の洗濯物がネット本体１０内に収容された場合に、洗濯機や乾燥機の回転力を受けても洗濯・乾燥ネット内に収容された洗濯物の偏りを防いで、洗濯物全体をより確実に洗濯および乾燥することができ、広く業務用として利用できるだけでなく、一般家庭用としても応用が可能であって、本考案の業務用洗濯・乾燥ネットの産業上の利用可能性は大であると思料する。
【符号の説明】
【００３０】
１    業務用洗濯・乾燥ネット
１０    ネット本体
１２    端面
１４    胴体部
２０    開口部
３０    開閉機構（スライドファスナー）
３１    スライダー
３３    帯体
４０    記名欄
４２    紙片等
ｈ    直径
ｗ    長さ・長さ方向
【図１】
0003185745.tif 000003
【図２】
0003185745.tif 000004
【図３】
0003185745.tif 000005
【図４】
0003185745.tif 000006